(57)【要約】  本発明は、取り外し可能なネック（１）とステム（２）とを有する人工股関節用のアセンブリ（１０）に関する。前記ネック（１）は前記ステム（２）に形成された空洞（４）に対して補完的なテーパ部（３）を含む。本発明によるアセンブリ（１０）の前記ネック（１）又は前記ステム（２）は貫通孔（５）が形成されており、前記貫通孔の方向及び配置によって、尖形ツール（７）の先端に向かって先細り状の外壁（８）が前記貫通孔に同軸上に挿入されたとき、前記ネック（１）の一部を形成する面（１ｒ）と前記ステム（２）の一部を形成する面（２ｒ）とのうち対面する面にそれぞれ作用することで、斜面効果により相当の軸力が発生して、前記ネック（１）を前記ステム（２）から抜出す。【選択図】  図１
2007513671.tif 000002
【特許請求の範囲】
【請求項１】
取り外し可能なネック（１）とステム（２）とを有する人工股関節用のアセンブリ（１０，２０）であって、前記ネック（１）は前記ステム（２）に形成された空洞（４）に対して補完的なテーパ部（３）を含み、前記ネック（１）又は前記ステム（２）は貫通孔（５、６）が形成されており、前記貫通孔の方向及び配置によって、尖形ツール（７）の先端に向かって先細り状の外壁（８）が前記貫通孔に同軸上に挿入されたときに、前記ネック（１）の一部を形成する面（１ｒ，１ｓ）と前記ステム（２）の一部を形成する面（２ｒ，２ｓ）との二面のうち対面する面にそれぞれ作用することで、斜面効果により相当の軸力が発生して、前記ネック（１）を前記ステム（２）から抜出すことを特徴とする、アセンブリ。
【請求項２】
前記貫通孔（５）は前記ネック（１）本体を横切るように形成されており、前記ステム（２）が挿入されている大腿（９）に対する、前記ステムの外側の面（２ｒ）に、前記貫通孔の下面が接しているか、あるいは、前記貫通孔の一部が前記ステム（２）の前記空洞（４）に含まれていることを特徴とする、請求項１に記載のアセンブリ。
【請求項３】
前記貫通孔（６）は前記ステム（２）を横切るように形成されており、前記ネック（１）の下面（１ｓ）に接しているか、あるいは前記下面が前記貫通孔に垂直に突入していることを特徴とする、請求項１に記載のアセンブリ。
【請求項４】
前記尖形ツール（７）は、円形あるいは多角形の断面を有していることを特徴とする、請求項１〜３のいずれかに記載のアセンブリ。
【発明の詳細な説明】
【技術分野】
【０００１】
本発明は、人工股関節に関し、より詳細には、取り外し可能なネック及びステム（大腿部に挿入される部分）で構成されたアセンブリに関する。
【背景技術】
【０００２】
当業者に公知であるように、人工股関節用の取り外し可能なネックはその下端部がテーパ状であり、この下端部とほぼ補完的な空洞がステムの上端部に形成されており、ここにネックの下端部が強制挿入される。
【０００３】
上記のように取り外し可能なネック及びステムが別々に形成されたアセンブリは、ネックとステムが一体のいわゆる「一体型システム」に最近取って代わった。身体構造に適応したネックの取付や交換などを容易に行うことが可能で、人口股関節を取り付ける際にもその後にも、大腿部に形成されたハウジングからステムを取り外す必要がないなど、様々な利点があるからである。
【０００４】
しかし、人工股関節の施術を行った者によって発見されたことであるが、人工股関節をある期間使用した場合、ネックがステムの空洞に「溶接された」ようになっているときがある。これは歩行の際に使用者の体重によってネックとステムが密着させられたり、人工股関節を装着した後に体内に発生した結合組織によって小さな隙間でさえも埋められてしまうなど、人工股関節の各構成部間に大きな密着力を発生させるためである。
【０００５】
この密着は、取り外し可能なネックをステムから取り外す際に問題となる。この問題を解決するために、コルク栓抜きと同様の原理で作用する適切な公知の抜出し機が使用されるが、上記の問題を解決できない場合もある。大腿部の構造に合わせて異なった傾斜をネックが持つので、抜出し機が軸方向に作用しないことがその原因の一つである。
【発明の開示】
【０００６】
本発明の発明者は、この問題を解決するために、取り外し可能なネックとステムとで構成され、この二つの構成部の取り外しを容易にする技術を備えたアセンブリを発明した。
【０００７】
本発明の発明者は、上記の取り外し作業に必要な力の大きさと、その力の方向がステムの空洞の軸線に平行であるべきこととを考慮して、先細り状の壁を有する尖形ツールを、ネックの一部を形成する面とステムの一部を形成する面との二面の間においてステムの空洞の軸線にほぼ垂直な方向に入れる構成にすれば、大きな力を得られることで知られる斜面効果を利用することが出来ると考えた。
【０００８】
そこで発明者は、このための孔の形成を考えた。ステムの空洞の軸線に垂直で、上記の特徴を持つ孔は、下記のように構成される。
【０００９】
この発明は、二つの実施例で示される。上記尖形ツールを入れる孔はネック本体に形成され、ステムの大腿に対する外面に対応している。あるいは、ステムの空洞の中に形成されると共に、この空洞に挿入されたネックの下面の近辺に形成される。
【００１０】
本発明の目的は、取り外し可能なネックとステムとを有する、請求項１に記載の人工股関節用のアセンブリを提供することである。
【発明を実施するための最良の形態】
【００１１】
以下、本発明の二つの実施例につき、添付図面を参照しつつ具体的に説明する。
【００１２】
図１に示す本発明によるアセンブリ１０において、取り外し可能なネック１はステム２に取り付けられるが、その際にネックのテーパ部３が、ステム２に形成されたほぼ補完形状の空洞４に強制挿入される。
【００１３】
このステムは、公知のように、患者の大腿９に挿入される。
【００１４】
貫通孔５は、その内面がステム２の外面２ｒに接する状態で（実線）、あるいはその一部がステム２の空洞４の中に含まれる状態で（破線）、かつ、空洞を横切るように空洞に対して垂直に、ネック１に形成及び配置されている。
【００１５】
先端部に向かって先細り状の外壁８を有する尖形ツール７の先端が貫通孔５に同軸状に挿入されて、力Ｐが尖形ツールに作用すると、外壁８はステム２の外面２ｒと、ネック１の一部を形成する、貫通孔（５）の上面１ｒとの二面のうち対面する面にそれぞれ作用する。このため、力Ｐが大きくなると、楔作用によって、ステム２の空洞４と同軸方向の力Ｆが発生し、ネック１の抜出しが行われる。
【００１６】
図２は、本発明の他の実施例によるアセンブリ２０を示す。本実施例においても、取り外し可能なネック１のテーパ部３がステム２の空洞４に挿入されており、ステムは大腿９に挿入される。
【００１７】
しかし、本実施例においては、貫通孔６は空洞４に対して垂直にステム２に形成され、当該貫通孔の上面がネック１の下面１ｓに接するように（実線）、あるいはこの下面が貫通孔に対して垂直方向に突入するように（破線）、形成及び配置されている。
【００１８】
上記実施例と同様に、尖形ツール７の先端が貫通孔６に挿入されて力Ｐが作用すると、その先細り状外壁１８が、ステム２の一部を形成する貫通孔６の下面２ｓと、ネック１の下面１ｓとの二面のうち対面する面にそれぞれ作用する。これによって力Ｓが増幅され、抜出し力Ｆが発生する。この抜出し力は空洞４の軸線に平行であり、ネック１をステム２から抜出しするのに充分な大きさである。
【００１９】
本実施例においては、大腿９にも貫通孔１１が形成され、尖形ツール７を貫通させる。
【００２０】
両実施例において、本発明が提供するシステムは、適切な方向において相当の力を容易に作用し、ネック１をステム２の空洞４から抜出して、発明の目的を達成する。
【００２１】
上記貫通孔５及び６は、設計の都合上、円形あるいはスロット状の断面を有していてもよい。様々な幅寸法の尖形ツール７を使用出来るように、貫通孔はスロット状であることが好ましい。
【００２２】
尖形ツール７においては、その断面は多角形でも円形でもよい。
【図面の簡単な説明】
【００２３】
【図１】図１は、抜出し用の尖形ツールを挿入するための孔が、取り外し可能なネック本体に垂直に形成されている、本発明によるアセンブリを示す縦断面図である。
【図２】図２は、抜出し用の尖形ツールを挿入するための孔が、ステムの空洞に垂直に形成されている、本発明の他の実施例によるアセンブリを示す縦断面図である。
【図１】
2007513671.tif 000003
【図２】
2007513671.tif 000004
【国際調査報告】
2007513671.tif 000005
2007513671.tif 000006